(57)【要約】      （修正有） 【課題】圧縮可能な収納袋では圧縮後の荷姿が必ずしも定型的ではなく、上方に多数積層しにくいといった点、ベローズを採用した容器では特に内容物の容積が小さくなる場合にはベローズを短縮させる必要がある点、を解消した圧縮容器の提供。【解決手段】容器本体２の側壁に上面−下面方向に伸張又は圧縮可能で柔軟性に富むベローズ２Ｂを採用すると共に、容器本体２の上面の開口２Ａを、逆止弁３Ａを設けた蓋部材３により覆う構成とした。【効果】上面（蓋部材３）と下面とが固定的な形状とされているので、蓋部材３の上面を下面側へ水平を保って圧縮するだけで、上方へ積層しやすい荷姿となる。【選択図】図１
0003109265.tif 000002
【実用新案登録請求の範囲】
【請求項１】
内部空気を排出して内容物の容積を圧縮し、密閉した状態で収納する圧縮容器において、上面に開口が形成されると共に側壁が上面−下面方向に伸張又は短縮可能でかつ柔軟性に富むベローズ状とされた容器本体と、前記開口の全面を覆う蓋部材と、この蓋部材の一部に設けられ、内部から排気する方向には開き、外部から吸気する方向には閉じる逆止弁と、を備えたことを特徴とする圧縮容器。
【請求項２】
逆止弁を蓋部材に設けることに代えて、容器本体の内部に挿入され、内容物を出し入れ可能なように開閉自在とされた開口が形成された袋体の一部に該逆止弁を設け、前記蓋部材に逆止弁を覗く孔と前記容器本体内の空気を抜くための空気孔が形成されたことを特徴とする請求項１記載の圧縮容器。
【考案の詳細な説明】
【技術分野】
【０００１】
本考案は、圧縮後の荷姿を定型的にでき、上方に多数積層しやすく、また、内容物の容積が小さくなるに連れてベローズが短縮する圧縮容器に関する。
【背景技術】
【０００２】
例えば、次の特許文献１のように、内容物を挿入する開口と、この開口を開閉するための開閉部材と、前記開口を閉じたうえで内部の空気を排出し、かつ内部空気を排除した後には、外気が流入しないように閉じる弁と、を有し、内容物を挿入し、密閉して内部の空気を強制的に排出して、容量を圧縮する収納袋が提案されている。  
【特許文献１】特開２００４−２６８９９０
【０００３】
一方、例えば、次の特許文献２のように、内容物の変動する容量に応じて、その収納容量を増減できるようにベローズを採用した容器が提案されている。
【特許文献２】特開２００４−１９６３６９
【考案の開示】
【考案が解決しようとする課題】
【０００４】
特許文献１のような収納袋は、特に布団などを圧縮したときには、圧縮後の荷姿が必ずしも定型的ではなく、その結果、上方に多数積層しにくいといった問題がある。
【０００５】
特許文献２のような容器は、通常、特に内容物の容積が小さくなる場合には、ベローズを短縮させて全体容量を小さくして使用することができるが、その場合にはベローズを短縮させるために力を加える必要があった。
【０００６】
本考案が解決しようとする問題点は、圧縮可能な収納袋では圧縮後の荷姿が必ずしも定型的ではなく、上方に多数積層しにくいといった点、及びベローズを採用した容器では特に内容物の容積が小さくなる場合にはベローズを短縮させる必要があるといった点、である。
【課題を解決するための手段】
【０００７】
本考案の圧縮容器は、容器本体の側壁に上面−下面方向に伸張又は圧縮可能で柔軟性に富むベローズを採用すると共に、容器本体の上面の開口を、逆止弁を設けた蓋部材により覆う構成とした。
【０００８】
また、逆止弁を蓋部材に設けることに代えて、容器本体の内部に挿入され、開閉自在とされた開口が形成された袋体の一部に該逆止弁を設け、蓋部材に逆止弁を覗く孔と容器本体内の空気を抜くための空気孔を形成した構成としてもよい。
【考案の効果】
【０００９】
本考案に係る圧縮容器は、上記構成とすることで、上面と下面とが固定的な形状とされていると共に、蓋部材で上面を覆うようにしているため、蓋部材が水平になるように圧縮させれば、上方へ積層しやすくなる。
【００１０】
また、本考案に係る圧縮容器は、逆止弁を蓋部材に設けることに代えて、容器本体内に挿入する袋体に設けた場合は、容器本体の側壁に設けたベローズが柔軟性に富むため、袋体が圧縮されることで、蓋部材が袋体に接触するまで側壁の自重でベローズが短縮し、従って、常に内容物に応じた大きさを維持しておくことができる。
【考案を実施するための最良の形態】
【００１１】
本考案の圧縮容器は、図１〜図４、及び図６〜図８に示す形態で実施可能である。図１は、圧縮容器の概略構成を示す。図２〜図４は、圧縮容器の部分的な構成を示す。図６は、他形態における圧縮容器の概略構成を示す。図７及び図８は、他形態における部分的な構成を示す。なお、以下の説明では、同一の構成要素については同一の参照符号を付し、重複する説明を省略する。
【００１２】
まず、図１〜図４に示す構成について説明する。１は、内部空気を排出して内容物の容積を圧縮し、密閉した状態で収納する圧縮容器である。２は、圧縮容器１において内容物を収納する容器本体である。容器本体２は、図１及び図２に示すように、上面のみに開口２Ａが形成されている。開口２Ａの周縁部は、その内周壁面に段部２ａが形成されている。この段部２ａにおける上面部には、例えばシリコン樹脂を材質とするシール部材２ｂが設けられている。
【００１３】
さらに、容器本体２は、側壁に上面−下面方向へ伸張又は短縮可能なベローズ２Ｂが形成されている。そして、容器本体２の側壁は、例えばポリエチレンなどのように柔軟性に富む材質としており、つまりベローズ２Ｂがその自重などによって常時短縮方向に折り畳まれるように構成されている。
【００１４】
また、容器本体２は、図示長手方向の端面上部に、ロック部材２Ｃが設けられている。このロック部材２Ｃは、例えば鉤状とされ、後述する蓋部材３の係止片３ｂと係合するように構成されている。
【００１５】
３は、開口２Ａを覆う蓋部材である。この蓋部材３は、図１に示すように、開口２Ａに嵌り、かつ段部２ａの上面に載置可能な大きさとされている。蓋部材３は、図１及び図３に示すように、シール部材２ｂに臨む下面周縁部に同様に例えばシリコン樹脂などでなるシール部材３ａが設けられている。なお、本例では、容器本体２にシール部材２ｂ、蓋部材３にシール部材３ａ、を設けているがいずれか一方だけであってもよい。
【００１６】
また、蓋部材３は、その長手方向の端縁部に、ロック部材２Ｃが係合する係止片３ｂが形成されている。この係止片３ｂは、例えば棒状とされ、蓋部材の厚み方向にロック部材２Ｃの鉤部が埋没するように若干窪ませた部位の対向する側壁間に設けられている。つまり、ロック部材２Ｃは、容器本体２の開口２Ａを蓋部材３で覆った後、係止片３ｂに鉤部を係止して、蓋部材３が容器本体２から外れないように、また、空気が流通しないように密閉状にロックする。
【００１７】
さらに、蓋部材３は、図１、図３及び図４に示すように、その上面の一部に、内部から排気する方向には開き、外部から吸気する方向には閉じる逆止弁３Ａが設けられている。逆止弁３Ａは、例えば内部が空洞とされ、上面側に孔３Ａａが、下面側（容器本体２に臨む側）に孔３Ａｂが、形成されている。
【００１８】
さらに、逆止弁３Ａ内において、下面側の孔３Ａｂに対しては一端が枢支された弁体３Ａｃが開閉するように構成されている。弁体３Ａｃは、下面側の孔３Ａｂを開いたときに、他端が逆止弁３Ａの内部上面に当接するようになっている。
【００１９】
逆止弁３は、圧縮容器２の内部の空気を排出するときは、排出される空気により弁体３Ａｃが孔３Ａｂを開状態とし、圧縮容器２の内部の空気が排出された後は圧縮容器２内部の負圧によって弁体３Ａｃが孔３Ａｂを閉状態を維持する。
【００２０】
次に、図６〜図８に示す圧縮容器１１について説明する。圧縮容器１１は、容器本体２は、上記図１〜図４に示した構成と同一である。蓋部材１３は、逆止弁３Ａが袋体１４に設けられる構成のためにこの袋体１４に設けた逆止弁３Ａを覗く孔１３ａが形成され、さらに、蓋部材１３の適所に空気抜孔１３ｂが形成されている点が、上記図１〜図４に示した構成と異なる。
【００２１】
袋体１４は、例えば図６に示すように、容器本体２のベローズ２Ｂが伸張した状態の容積と同等の容積を有する大きさとされている。もちろん圧縮することを前提にしているので、前記より容積が大きくてもよいし、小さくてもよい。
【００２２】
また、袋体１４は、例えば容器本体２の内部形状に沿った形状とされ、圧縮させたときに極力不要なしわを形成しないように折り目が形成されると共に、柔軟性に富んだ材質を採用している。この理由は、袋体１４を圧縮させたときにしわが内容物に跡を付けたり、袋体１４のしわになった部分が容器本体２の容積を占有することを防止するためである。  
【００２３】
袋体１４は、上部全面のみに開口１４Ａが形成されている。開口１４Ａは、対向する面の端縁部において、一方面に凸部を、他方面に凹部が形成され、これら凸部と凹部とを嵌合させて閉状態に、凸部と凹部の嵌合を解除して開状態に、する構成とされている。
【００２４】
また、袋体１４において、前記蓋部材１３の孔１３ａに臨む箇所には、図７に示すように、逆止弁３Ａが設けられている。逆止弁３Ａは、図８に示すように、蓋部材３の孔１３ａに挿入可能で、この孔１３ａからその上端が若干突出するように構成されている。
【００２５】
また、例えば逆止弁３Ａの外周面と孔１３ａの内周面のいずれか一方、又は両方にはシール部材を設けもよい。このシール部材は、逆止弁３Ａが孔１３ａから抜けて逃げることを防止することを主たる機能とするが、必須構成ではない。
【実施例】
【００２６】
以下、本考案に係る圧縮容器の実施例を図５及び図９を用いて説明する。
（第１実施例）
図５は、図１〜図４に示した圧縮容器１を用いた第１実施例の使用状況を示す。圧縮容器１は、ロック部材２Ｃの容器本体２とのロックを解除して、蓋部材３を容器本体２から外した後、容器本体２へ内容物、例えば衣料品や布団を挿入する。その後、いま挿入した内容物の容積に応じてベローズ２Ｂを伸張させた状態で、蓋部材３を容器本体２に取り付け、ロック部材２Ｃにより、容器本体２と蓋部材３とをロックする。
【００２７】
ここで、挿入した内容物の容積に応じてベローズ２Ｂを伸張させた状態にする理由は、ベローズ２Ｂは、柔軟性に富む材質を採用しているから、自然状態では常に短縮方向に折り畳まれてしまうからである。よって、内容物を挿入したときには、内容物の高さ分だけ使用者がベローズ２Ｂを伸張させなければならないのである。
【００２８】
そして、ロック部材２Ｃにより容器本体２と蓋部材３とをロックした後、図５（ａ）に示すように、例えば蓋部材３の上面を下面方向に押圧して、容器本体２内の空気を逆止弁３Ａを介して排出する。もちろん、容器本体２内の空気を排出するために掃除機を用いてもよいが、本考案は、蓋部材３の上面を押圧するだけで容器本体２内の空気を効率よく排気できる点にも特徴がある。
【００２９】
蓋部材３の上面をバランス良く押圧すると、蓋部材３を水平に保った状態で、図５（ｂ）に示すように容器本体２が圧縮される。容器本体２が圧縮状態になると、内部の負圧で弁体３Ａｃは孔３Ａｂを開くことがない。
【００３０】
このように、圧縮容器１は、蓋部材３を押圧して圧縮するので、蓋部材３を水平に保つことが可能で、しかも蓋部材３と容器本体２の底面が定型化されているので、荷姿を安定させることができると共に、上方へ積層しやすく、かつ水平方向に並べやすい。また、圧縮容器１は、上方つまり蓋部材３の上面に他の圧縮容器１などを積層すれば、常に蓋部材３に下面方向に荷重がかかるため、次第に積層することによる圧縮が進行する。
【００３１】
（第２実施例）
図９は、図６〜図８に示した圧縮容器１１を用いた第２実施例の使用状況を示す。圧縮容器１１は、ロック部材２Ｃの容器本体２とのロックを解除して、蓋部材１３を容器本体２から外す。その後、容器本体２から袋体１４を取り出して、袋体１４内へ内容物、例えば衣料品や布団を挿入する。もちろん、袋体１４を容器本体２に挿入したまま、袋体１４内へ内容物、例えば衣料品や布団を挿入してもよい。
【００３２】
そして、袋体１４の開口１４Ａを閉じて密閉状態とし、逆止弁３Ａを蓋部材１３の孔１３ａに挿入する。その後、いま、挿入した内容物の容積に応じてベローズ２Ｂを伸張させた状態で、蓋部材１３を容器本体２に取り付け、ロック部材２Ｃにより、容器本体２と蓋部材１３とをロックする。なお、挿入した内容物の容積に応じてベローズ２Ｂを伸張させた状態にしなければならない理由は前述の通りであるため説明は省略する。
【００３３】
そして、ロック部材２Ｃにより、容器本体２と蓋部材１３とをロックした後、図９（ａ）に示すように、例えば蓋部材１３の上面を下面方向に押圧して、袋体１４内の空気を逆止弁３Ａを介して排出する。もちろん、袋体１４内の空気を排出するために掃除機を用いてもよいが、本考案は、蓋部材１３の上面を押圧するだけで袋体１４と容器本体２内の空気を効率よく排気できる点にも特徴がある。
【００３４】
蓋部材１３の上面をバランス良く押圧すると、蓋部材１３を水平に保った状態で、図９（ａ）に示すように、容器本体２内の空気が蓋部材１３の空気抜孔１３ｂより排出され、袋体１４内の空気が逆止弁３Ａを介して排出される。そして、圧縮容器１１全体は、図９（ｂ）に示すように圧縮される。なお、袋体１４が圧縮状態になると、内部の負圧で弁体３Ａｃは孔３Ａｂを開くことがなく、また、容器本体１４は蓋部材１３とベローズ２Ｂの自重とにより折り畳まれ、圧縮状態の袋体１４の容積以上に不要に容積を大きくすることがない。
【００３５】
このように、圧縮容器１１は、上記した第１実施例の作用効果に加えて、袋体１４のみを持ち出したり、袋体１４を取り換えることが可能となる。また、圧縮容器１１は、袋体１４に圧縮する内容物を挿入し、圧縮できない又は圧縮不要な内容物については該容器本体２内で袋体１４外に該袋体１４と混在させて収納することができる。
【産業上の利用可能性】
【００３６】
本考案に係る圧縮容器１，１１は、上記第１及び第２実施例では内容物として衣料品や布団などを示したが、これに限らず、空気に触れないように密閉して保存することを条件とする内容物であれば採用して好適である。
【００３７】
また、第２実施例においては、袋体１４は、底面に容器本体２の内面とのずれを防止するための滑り止め部材を設けてもよい。このようにすれば、袋体１４の圧縮時に、該袋体１４を圧縮容器２の内部形状に沿って圧縮させることができ、かつ袋体１４が圧縮すると容器本体２のベローズ２Ｂを同期して短縮させることができる。
【００３８】
さらに、圧縮容器１，１１は、上方へ積層して好適であるが、このときに、容器本体２の底面や、蓋部材３，１３の上面に、滑り止め部材を設けておけば、より多く確実に上方へ積層することができる。
【図面の簡単な説明】
【００３９】
【図１】本考案の圧縮容器の一形態例構成を示す分解斜視図である。
【図２】容器本体を示す図１のＡ−Ａ線断面図である。
【図３】蓋部材を示す図１のＢ−Ｂ線断面図である。
【図４】蓋部材における逆止弁周辺を示す断面図である。
【図５】本考案の圧縮容器の一形態例構成を用いた第１実施例を示し、（ａ）は圧縮中の状況、（ｂ）は圧縮後の状況、の断面図である。
【図６】本考案の圧縮容器の他形態例構成を示す分解斜視図である。
【図７】袋体における逆止弁周辺を示す断面図である。
【図８】袋体の逆止弁を蓋部材に挿入した状態を示す断面図である。
【図９】本考案の圧縮容器の他形態例構成を用いた第２実施例を示し、（ａ）は圧縮中の状況、（ｂ）は圧縮後の状況、の断面図である。
【符号の説明】
【００４０】
１  圧縮容器
２  容器本体
２ｂ  シール部材
２Ａ  開口
２Ｂ  ベローズ
２Ｃ  ロック部材
３  蓋部材
３Ａ  逆止弁
３ｂ  シール部材
１１  圧縮容器
１３  蓋部材
１３ａ  孔
１３ｂ  空気抜孔
１４  袋体
１４Ａ  開口
【図１】
0003109265.tif 000003
【図２】
0003109265.tif 000004
【図３】
0003109265.tif 000005
【図４】
0003109265.tif 000006
【図５】
0003109265.tif 000007
【図６】
0003109265.tif 000008
【図７】
0003109265.tif 000009
【図８】
0003109265.tif 000010
【図９】
0003109265.tif 000011